(57)【要約】【課題】液体冷媒を効率よく冷却できる熱交換装置、冷却装置及びプロジェクターを提供すること。【解決手段】熱交換装置は、液体冷媒が流入される流入口を有する１つの流入路と、流入路に流入された液体冷媒を流出させる流出口を有する１つの流出路と、流入路内を流通する液体冷媒の流通方向である流入路内流通方向に並んで配置され、それぞれ流入路と流出路とを接続し、流入路から流入する液体冷媒を流出路へ流通させる複数の流路と、を備え、複数の流路は、流入口から流入路の終端までの間にて、流入路とそれぞれ接続され、流入路は、流入口から終端までの間に、流入路に流入された液体冷媒の流速を低下させる緩衝部を有する。【選択図】図４
2019052770.tif 000002
【特許請求の範囲】
【請求項１】
液体冷媒が流入される流入口を有する１つの流入路と、
前記流入路に流入された前記液体冷媒を流出させる流出口を有する１つの流出路と、
前記流入路内を流通する前記液体冷媒の流通方向である流入路内流通方向に並んで配置され、それぞれ前記流入路と前記流出路とを接続し、前記流入路から流入する前記液体冷媒を前記流出路へ流通させる複数の流路と、を備え、
前記複数の流路は、前記流入口から前記流入路の終端までの間にて、前記流入路とそれぞれ接続され、
前記流入路は、前記流入口から前記終端までの間に、前記流入路に流入された前記液体冷媒の流速を低下させる緩衝部を有することを特徴とする熱交換装置。
【請求項２】
請求項１に記載の熱交換装置において、
前記緩衝部は、前記緩衝部が位置する部位の前記流入路の断面積を、前記緩衝部が設けられていない部位の断面積より小さくすることを特徴とする熱交換装置。
【請求項３】
請求項２に記載の熱交換装置において、
前記緩衝部は、前記流入路の内壁から径方向内側に突出し、前記流入路を縮径させる縮径部であることを特徴とする熱交換装置。
【請求項４】
請求項３に記載の熱交換装置において、
前記縮径部は、前記流入路に複数設けられていることを特徴とする熱交換装置。
【請求項５】
請求項２に記載の熱交換装置において、
前記緩衝部は、前記流入路内に設けられるシャフトであり、
前記シャフトは、
外径が第１の長さとなる第１部分と、
前記第１部分よりも前記流入路内流通方向における下流側に位置し、外径が前記第１の長さよりも大きい第２の長さとなる第２部分と、を有することを特徴とする熱交換装置。
【請求項６】
請求項５に記載の熱交換装置において、
前記シャフトの外径は、前記流入路内流通方向に向かうに従って大きくなることを特徴とする熱交換装置。
【請求項７】
液体冷媒が流入される流入口を有する１つの流入路と、
前記流入路に流入された前記液体冷媒を流出させる流出口を有する１つの流出路と、
前記流入路内を流通する前記液体冷媒の流通方向である流入路内流通方向に沿って配置され、内部を前記液体冷媒が流通する第１主流路と、
前記流入路内流通方向に沿って配置され、内部を前記液体冷媒が流通する第２主流路と、
前記流入路内流通方向に沿って配列され、それぞれ前記流入路と前記第１主流路とを接続し、前記流入路から流入する前記液体冷媒を前記第１主流路へ流通させる複数の第１流路と、
前記流入路内流通方向に沿って配列され、それぞれ前記第１主流路と前記第２主流路とを接続し、前記第１主流路から流入する前記液体冷媒を前記第２主流路へ流通させる複数の第２流路と、
前記流入路内流通方向に沿って配列され、それぞれ前記第２主流路と前記流出路とを接続し、前記第２主流路から流入する前記液体冷媒を前記流出路へ流通させる複数の第３流路と、を備えることを特徴とする熱交換装置。
【請求項８】
請求項７に記載の熱交換装置において、
前記流入路と前記第２主流路とは、それぞれの中心軸が互いに平行となるように一体化され、
前記流出路と前記第１主流路とは、それぞれの中心軸が互いに平行となるように一体化されていることを特徴とする熱交換装置。
【請求項９】
請求項１から請求項８のいずれか一項に記載の熱交換装置において、
前記流入路と前記流出路とは、互いに平行に配置されていることを特徴とする熱交換装置。
【請求項１０】
請求項１から請求項９のいずれか一項に記載の熱交換装置と、
前記液体冷媒を貯留するタンクと、
冷却対象の熱を前記液体冷媒に伝達させて前記冷却対象を冷却する熱交換器と、
前記冷却対象の熱が伝達された前記液体冷媒を前記熱交換装置に流通させるポンプと、を備えることを特徴とする冷却装置。
【請求項１１】
光を出射する光源装置と、
前記光源装置から出射された光を画像情報に応じて変調する光変調装置と、
前記光変調装置により変調された光を投射する投射光学装置と、
請求項１０に記載の冷却装置と、を備えることを特徴とするプロジェクター。
【発明の詳細な説明】
【技術分野】
【０００１】
本発明は、熱交換装置、冷却装置及びプロジェクターに関する。
【背景技術】
【０００２】
従来、液体冷媒が内部を流通するラジエータ（例えば特許文献１参照）及び熱交換器（例えば特許文献２参照）が知られている。
特許文献１に記載のラジエータは、上下に対向して設けられる一対のヘッダーと、当該一対のヘッダー間を接続する複数の配管と、当該複数の配管の間に設けられるコルゲート状のフィンを取り付けて構成された放熱部材と、を有する。そして、下側のヘッダーに流入された液体冷媒は、複数の配管を通って上側のヘッダーに流通する。これら配管及びフィンには、電動ファンからの冷却風が送風され、これにより、当該配管内を流通する液体冷媒が冷却される。
【０００３】
また、特許文献２に記載の熱交換器は、プロジェクターに設けられる液冷サイクルを構成するものであり、一対のヘッダーと、当該一対のヘッダーの間に取り付けられた多数のマイクロベアチューブと、を有する。この熱交換器では、上記ラジエータと同様に、一方のヘッダー内に流入された液体冷媒は、多数のマイクロベアチューブの内部を通過して他方のヘッダーへ移動し、当該他方のヘッダーから排出される。この液体冷媒の熱は、当該液体冷媒がマイクロベアチューブの内部を通過する際に、当該マイクロベアチューブの微細な壁面を介して外部に放熱され、これにより、液体冷媒は冷却される。
【先行技術文献】
【特許文献】
【０００４】
【特許文献１】特開２００６−２３４２５５号公報
【特許文献２】特開２００６−１３２８１９号公報
【発明の概要】
【発明が解決しようとする課題】
【０００５】
ここで、上記特許文献１に記載のラジエータや、上記特許文献２に記載の熱交換器は、ヘッダーを有することから、大型になりやすい。これに対し、ヘッダーが無い熱交換装置が提案される。
しかしながら、例えば、液体冷媒が流入される流入路と、液体冷媒を流出させる流出路と、これら流入路及び流出路とを接続する複数の流路とを有する構成とすると、当該複数の流路において、ある流路には液体冷媒が流通しやすいものの、他の流路には液体冷媒が流通しにくい、偏流と呼ばれる現象が発生しやすい。
【０００６】
具体的に、流入路に流入された液体冷媒は、流入路における終端に集まるので、当該液体冷媒の流速は、流入路における上流側（基端側）の部位では高く、下流側（終端側）の部位で低くなる。このため、流入路に流入された液体冷媒は、上記複数の流路のうち、上記下流側の部位に接続された流路には流通しやすく、上記上流側の部位に接続された流路には流通しにくい。このような液体冷媒の偏流が発生すると、熱交換装置にて液体冷媒が均一に冷却されず、当該液体冷媒を充分に冷却できない可能性が生じる。
このため、液体冷媒を効率よく流通させて、当該液体冷媒の冷却効率を高められる構成が要望されていた。
【０００７】
本発明は、上記課題の少なくとも一部を解決することを目的としたものであり、液体冷媒を効率よく冷却できる熱交換装置、冷却装置及びプロジェクターを提供することを目的の１つとする。
【課題を解決するための手段】
【０００８】
本発明の第１態様に係る熱交換装置は、液体冷媒が流入される流入口を有する１つの流入路と、前記流入路に流入された前記液体冷媒を流出させる流出口を有する１つの流出路と、前記流入路内を流通する前記液体冷媒の流通方向である流入路内流通方向に並んで配置され、それぞれ前記流入路と前記流出路とを接続し、前記流入路から流入する前記液体冷媒を前記流出路へ流通させる複数の流路と、を備え、前記複数の流路は、前記流入口から前記流入路の終端までの間にて、前記流入路とそれぞれ接続され、前記流入路は、前記流入口から前記終端までの間に、前記流入路に流入された前記液体冷媒の流速を低下させる緩衝部を有することを特徴とする。
【０００９】
このような構成によれば、流入口を介して流入路に流入された液体冷媒は、当該流入路を流通する液体冷媒の流通方向に並んで配置された複数の流路を流通して、流出路に流入し、流出口を介して外部に排出される。この際、流入路において流入口から終端までの間に緩衝部が位置することにより、当該緩衝部近傍の部位にて、流通方向における流路抵抗が大きくなり、液体冷媒の流速は低下される。このため、上記複数の流路のうち、流入路における終端近傍の部位に接続された流路だけでなく、当該緩衝部近傍の部位に接続された流路に液体冷媒を流通させやすくすることができる。従って、各流路に液体冷媒を流通させやすくすることができるので、液体冷媒の冷却効率を向上させることができる。
また、このような熱交換装置では、上記特許文献１及び２に記載のような一対のヘッダーを設ける必要が無いので、当該熱交換装置を小型化できる。
【００１０】
上記第１態様では、前記緩衝部は、前記緩衝部が位置する部位の前記流入路の断面積を、前記緩衝部が設けられていない部位の断面積より小さくすることが好ましい。
このような構成によれば、緩衝部近傍の部位における流入路内流通方向の流路抵抗を確実に大きくすることができる。従って、当該部位に接続された上記流路に、液体冷媒を確実に流通させることができる。
【００１１】
上記第１態様では、前記緩衝部は、前記流入路の内壁から径方向内側に突出し、前記流入路を縮径させる縮径部であることが好ましい。
このような構成によれば、上記機能を実現する緩衝部を簡易に構成できる。従って、複雑な構成を採用することなく、上記効果を奏する熱交換装置を構成できる。
【００１２】
上記第１態様では、前記縮径部は、前記流入路に複数設けられていることが好ましい。
このような構成によれば、流入路において流入路内流通方向における流路抵抗が大きくなる部位を複数設定できる。これにより、上記複数の流路の全てに、液体冷媒を流通させやすくすることができる。従って、熱交換装置による液体冷媒の冷却効率を一層向上させることができる。
【００１３】
上記第１態様では、前記緩衝部は、前記流入路内に設けられるシャフトであり、前記シャフトは、外径が第１の長さとなる第１部分と、前記第１部分よりも前記流入路内流通方向における下流側に位置し、外径が前記第１の長さよりも大きい第２の長さとなる第２部分と、を有することが好ましい。
このような構成によれば、第１部分にて、流路抵抗を大きくすることができ、第２部分にて、流路抵抗を更に大きくすることができる。このため、第１部分及び第２部分を液体冷媒が流通する際に、当該液体冷媒の流速を徐々に低下させることができる。従って、上記複数の流路のうち、流入口から第１部分までの範囲に接続される流路、第１部分から第２部分までの範囲に接続される流路、及び、第２部分から終端までの範囲に接続される流路のそれぞれに、液体冷媒を流通させやすくすることができる。従って、熱交換装置による液体冷媒の冷却効率を一層向上させることができる。
【００１４】
上記第１態様では、前記シャフトの外径は、前記流入路内流通方向に向かうに従って大きくなることが好ましい。
このような構成によれば、上記緩衝部によって、流入路において液体冷媒が流通可能な断面積を、当該流通方向に向かうに従って小さくすることができる。これにより、当該流通方向に向かうに従って、液体冷媒の流速を低下させることができるとともに、流路抵抗を大きくすることができる。従って、複数の流路のそれぞれに液体冷媒を流通させやすくすることができるので、液体冷媒の冷却効率を一層向上させることができる。
【００１５】
本発明の第２態様に係る熱交換装置は、液体冷媒が流入される流入口を有する１つの流入路と、前記流入路に流入された前記液体冷媒を流出させる流出口を有する１つの流出路と、前記流入路内を流通する前記液体冷媒の流通方向である流入路内流通方向に沿って配置され、内部を前記液体冷媒が流通する第１主流路と、前記流入路内流通方向に沿って配置され、内部を前記液体冷媒が流通する第２主流路と、前記流入路内流通方向に沿って配列され、それぞれ前記流入路と前記第１主流路とを接続し、前記流入路から流入する前記液体冷媒を前記第１主流路へ流通させる複数の第１流路と、前記流入路内流通方向に沿って配列され、それぞれ前記第１主流路と前記第２主流路とを接続し、前記第１主流路から流入する前記液体冷媒を前記第２主流路へ流通させる複数の第２流路と、前記流入路内流通方向に沿って配列され、それぞれ前記第２主流路と前記流出路とを接続し、前記第２主流路から流入する前記液体冷媒を前記流出路へ流通させる複数の第３流路と、を備えることを特徴とする。
【００１６】
このような構成によれば、流入路の長さ寸法（流入路における液体冷媒の流通方向に沿う寸法）を比較的短く設定できる。このため、流入路の終端近傍の部位にて液体冷媒の流速が低下することによって、上記複数の第１流路のそれぞれに流通させやすくすることができる。
そして、複数の第１流路を流通した液体冷媒は、第１主流路を流通する。この第１主流路の長さ寸法も、比較的短く設定できるので、当該第１主流路を流通した液体冷媒を、複数の第２流路のそれぞれに流通させやすくすることができる。同様に、第２主流路の長さ寸法も、比較的短く設定できるので、当該第２主流路を流通した液体冷媒を、複数の第３流路のそれぞれに流通させやすくすることができる。このように、流入路に流入された液体冷媒を、複数の第１流路、複数の第２流路及び複数の第３流路のそれぞれに流通させやすくすることができる。従って、液体冷媒の冷却効率を向上させることができる。
また、上記第１態様に係る熱交換装置と同様に、上記のような一対のヘッダーを設ける必要が無いので、当該熱交換装置を小型化できる。
【００１７】
上記第２態様では、前記流入路と前記第２主流路とは、それぞれの中心軸が互いに平行となるように一体化され、前記流出路と前記第１主流路とは、それぞれの中心軸が互いに平行となるように一体化されていることが好ましい。
なお、それぞれの中心軸が平行であるとは、それぞれの中心軸が完全に平行である場合の他、平行と認識可能な場合、すなわち、略平行である場合も含む。
このような構成によれば、熱交換装置内を流通する液体冷媒は、略Ｓ字状に流通する。これにより、複数の第１流路、複数の第２流路及び複数の第３流路のそれぞれにおける液体冷媒の流通方向が同じ方向となるように構成されている場合に比べて、熱交換装置を小型化できる。
【００１８】
上記第１及び第２態様では、前記流入路と前記流出路とは、互いに平行に配置されていることが好ましい。
なお、流入路と流出路とが平行であるとは、これらの中心軸が完全に平行である場合の他、平行と認識可能な場合、すなわち、略平行である場合も含む。
このような構成によれば、流入路と流出路とが互いに平行でない場合に比べて、熱交換装置を小型化できる。
【００１９】
本発明の第３態様に係る冷却装置は、上記熱交換装置と、前記液体冷媒を貯留するタンクと、冷却対象の熱を前記液体冷媒に伝達させて前記冷却対象を冷却する熱交換器と、前記冷却対象の熱が伝達された前記液体冷媒を前記熱交換装置に流通させるポンプと、を備えることを特徴とする。
上記第３態様によれば、上記第１態様又は上記第２態様に係る熱交換装置と同様の効果を奏することができる。また、このような冷却装置では、冷却対象の熱が伝達される液体冷媒が、上記熱交換装置によって冷却されるので、当該冷却対象を効果的に冷却できる。
【００２０】
本発明の第４態様に係るプロジェクターは、光を出射する光源装置と、前記光源装置から出射された光を画像情報に応じて変調する光変調装置と、前記光変調装置により変調された光を投射する投射光学装置と、上記冷却装置と、を備えることを特徴とする。
上記第４態様によれば、上記第３態様に係る冷却装置と同様の効果を奏することができる。
【図面の簡単な説明】
【００２１】
【図１】本発明の第１実施形態に係るプロジェクターの構成を示す模式図。
【図２】上記第１実施形態における光源装置の構成を示す模式図。
【図３】上記第１実施形態における冷却装置の構成を示す模式図。
【図４】上記第１実施形態における熱交換装置の内部構成を示す模式図。
【図５】上記第１実施形態における流路形成部材を示す概要斜視図。
【図６】本発明の第２実施形態に係るプロジェクターが備える熱交換装置の内部構成を示す模式図。
【図７】本発明の第３実施形態に係るプロジェクターが備える熱交換装置の内部構成を示す模式図。
【図８】流路形成部材の変形を示す概要斜視図。
【発明を実施するための形態】
【００２２】
［第１実施形態］
以下、本発明の第１実施形態について、図面に基づいて説明する。
［プロジェクターの外観構成］
図１は、本実施形態に係るプロジェクター１の構成を示す模式図である。
本実施形態に係るプロジェクター１は、後述する光源装置３１から出射される光を変調して画像情報に応じた画像を形成及び投射する投射型表示装置である。このプロジェクター１は、図１に示すように、略直方体形状を有する外装筐体２と、当該外装筐体２内に配置される画像投射装置３と、を備える。
このようなプロジェクター１は、詳しくは後述するが、冷却対象を冷却した液体冷媒の熱を他の冷媒に伝達して、当該液体冷媒を冷却する熱交換装置の構成に特徴の１つを有する。
以下、プロジェクター１の構成について、詳述する。
【００２３】
［画像投射装置の構成］
画像投射装置３は、外装筐体２内に配置された制御装置（図示省略）から入力される画像情報に応じた画像を形成及び投射する。この画像投射装置３は、光源装置３１、均一化装置３２、色分離装置３３、電気光学装置３４、投射光学装置３５及び光学部品用筐体３６を備える。
【００２４】
［光源装置の構成］
図２は、光源装置３１の構成を示す模式図である。
光源装置３１は、赤、緑及び青の色光を含む光束を均一化装置３２に出射する。この光源装置３１は、図２に示すように、光源部４０、アフォーカル光学素子４１、第１位相差素子４２、ホモジナイザー光学装置４３、光合成装置４４、第２位相差素子４５、第１集光素子４６、光拡散装置４７、第２集光素子４８及び波長変換装置４９を備える。
これらのうち、光源部４０、アフォーカル光学素子４１、第１位相差素子４２、ホモジナイザー光学装置４３、第２位相差素子４５、第１集光素子４６及び光拡散装置４７は、第１照明光軸Ａｘ１上に配置されている。一方、第２集光素子４８及び波長変換装置４９と、後述する均一化装置３２とは、第１照明光軸Ａｘ１に交差する第２照明光軸Ａｘ２上に配置されている。そして、光合成装置４４は、第１照明光軸Ａｘ１と第２照明光軸Ａｘ２との交差部分に配置されている。
【００２５】
［光源部の構成］
光源部４０は、青色光である光源光を出射する。この光源部４０は、第１光源部４０１、第２光源部４０２及び光合成部材４０３を有する。
第１光源部４０１及び第２光源部４０２は、それぞれ、ＬＤ（Laser Diode）である固体光源ＳＳがマトリクス状に複数配列された固体光源アレイＳＡと、当該固体光源アレイＳＡから出射された青色光を平行化するとともに縮径させる平行化素子（図示省略）と、を有する。これら固体光源ＳＳは、例えばピーク波長が４４０ｎｍの励起光を出射するが、ピーク波長が４４６ｎｍの励起光や４６０ｎｍの励起光を出射してもよい。また、ピーク波長が異なる励起光をそれぞれ出射する固体光源を、各光源部４０１，４０２に混在させてもよい。これら固体光源ＳＳから出射された励起光は、平行化素子により平行化されて光合成部材４０３に入射される。
なお、本実施形態では、各固体光源ＳＳから出射される励起光は、ｓ偏光であるが、当該励起光は、ｐ偏光であってもよい。また、光源部４０１，４０２が、ｓ偏光の励起光を出射する固体光源ＳＳと、ｐ偏光の励起光を出射する固体光源ＳＳとを有する構成としてもよい。この場合、第１位相差素子４２を省略できる。
【００２６】
光合成部材４０３は、第１光源部４０１から出射された光源光と、第２光源部４０２から出射された光源光とを合成して出射する。
なお、光源部４０は、第１光源部４０１のみ有する構成であってもよく、更に多くの光源部を有する構成であってもよい。光源部４０が第１光源部４０１のみ有する場合には、光合成部材４０３を省略できる。
【００２７】
［アフォーカル光学素子及び第１位相差素子の構成］
アフォーカル光学素子４１は、レンズ４１１，４１２を有し、光源部４０から入射される光源光を縮径した後、平行化して出射する。
第１位相差素子４２は、１／２波長板である。この第１位相差素子４２を通過することによって、アフォーカル光学素子４１から入射されるｓ偏光の光源光は、一部がｐ偏光の光源光に変換されて、ｓ偏光とｐ偏光とが混在した光源光となる。
【００２８】
［ホモジナイザー光学装置の構成］
ホモジナイザー光学装置４３は、２つのマルチレンズ４３１，４３２を有し、光拡散装置４７及び波長変換装置４９における被照明領域に入射される光源光の照度分布を均一化する。なお、ホモジナイザー光学装置４３は、第１位相差素子４２の光出射側に限らず、アフォーカル光学素子４１と第１位相差素子４２との間に配置されていてもよい。
【００２９】
［光合成装置の構成］
光合成装置４４は、第１照明光軸Ａｘ１及び第２照明光軸Ａｘ２のそれぞれに対して略４５°傾斜した偏光分離層４４１を有する。
偏光分離層４４１は、ホモジナイザー光学装置４３を介して入射される光源光に含まれるｓ偏光とｐ偏光とを分離する特性を有する他、波長変換装置４９にて生じる蛍光を、当該蛍光の偏光状態に依らずに通過させる特性を有する。すなわち、偏光分離層４４１は、青色光領域の波長の光についてはｓ偏光とｐ偏光とを分離するが、緑色光領域及び赤色光領域の波長の光についてはｓ偏光及びｐ偏光のそれぞれを通過させる、波長選択性の偏光分離特性を有する。
このように光分離装置としても機能する光合成装置４４により、ホモジナイザー光学装置４３から入射された光源光のうち、ｐ偏光は、第１照明光軸Ａｘ１に沿って第２位相差素子４５側に通過され、ｓ偏光は、第２照明光軸Ａｘ２に沿って第２集光素子４８側に反射される。また、詳しくは後述するが、光合成装置４４は、第２位相差素子４５を介して入射される光源光と、第２集光素子４８を介して入射される蛍光とを合成する。
【００３０】
［第２位相差素子及び第１集光素子の構成］
第２位相差素子４５は、１／４波長板であり、光合成装置４４から入射されるｐ偏光の光源光を円偏光の光源光に変換し、第１集光素子４６から入射される光源光（当該円偏光とは逆廻りの円偏光）をｓ偏光に変換する。
第１集光素子４６は、第２位相差素子４５を通過した光源光を光拡散装置４７に集光（集束）させる。この第１集光素子４６は、本実施形態では、３つのレンズ４６１〜４６３により構成されているが、第１集光素子４６を構成するレンズの数は３に限らない。
【００３１】
［光拡散装置の構成］
光拡散装置４７は、波長変換装置４９にて生成及び出射される蛍光と同様の拡散角で、入射される光源光を拡散させる。この光拡散装置４７は、回転中心を中心とする環状の反射層が形成された円板状の光拡散素子４７１と、当該光拡散素子４７１を回転させる回転装置４７２と、を有する。なお、反射層は、入射光をランバート反射させる。
このような光拡散素子４７１にて拡散反射された光源光は、第１集光素子４６を介して再び第２位相差素子４５に入射される。この光拡散素子４７１にて反射される時に、当該光拡散素子４７１に入射された円偏光は逆廻りの円偏光となり、第２位相差素子４５を通過する過程にて、光合成装置４４を通過するｐ偏光の光源光に対して偏光方向が９０°回転されたｓ偏光の光源光に変換される。このｓ偏光の光源光は、上記偏光分離層４４１によって反射され、第２照明光軸Ａｘ２に沿って、後述する均一化装置３２に青色光として入射される。
【００３２】
［第２集光素子の構成］
第２集光素子４８には、ホモジナイザー光学装置４３を通過して上記偏光分離層４４１にて反射されたｓ偏光の光源光が入射される。この第２集光素子４８は、入射される光源光を波長変換装置４９の被照明領域（後述する波長変換層４９３）に集光する他、当該波長変換装置４９から出射された蛍光を平行化して、上記偏光分離層４４１に出射する。この第２集光素子４８は、第１集光素子４６と同様に、３つのレンズ４８１〜４８３により構成されているが、当該第２集光素子４８が有するレンズの数は３に限らない。
【００３３】
［波長変換装置の構成］
波長変換装置４９は、入射された光の波長を変換するものであり、本実施形態では、入射された青色光（光源光）を、緑色光及び赤色光を含む蛍光（変換光）に波長変換する。この波長変換装置４９は、波長変換素子４９１と、当該波長変換素子４９１を回転させる回転装置４９５と、波長変換素子４９１から伝達された熱を放熱する放熱部材４９６と、を有する。
【００３４】
波長変換素子４９１は、円盤状の支持体４９２と、当該支持体４９２において光源光の入射側の面４９２Ａに位置する波長変換層４９３及び反射層４９４と、を有する。
波長変換層４９３は、上記光源光の入射によって励起されて非偏光光である蛍光（例えば５００〜７００ｎｍの波長域にピーク波長を有する蛍光）を拡散出射する蛍光体を含む蛍光体層である。このような波長変換層４９３にて生じる蛍光の一部は、第２集光素子４８側に出射され、他の一部は、反射層４９４側に出射される。
反射層４９４は、波長変換層４９３と支持体４９２との間に配置され、当該波長変換層４９３から入射される蛍光を第２集光素子４８側に反射させる。
【００３５】
このような波長変換素子４９１に上記光源光が照射されると、当該波長変換素子４９１によって、上記蛍光が第２集光素子４８側に拡散出射される。この蛍光は、第２集光素子４８を介して上記偏光分離層４４１に入射され、第２照明光軸Ａｘ２に沿って当該偏光分離層４４１を通過して、均一化装置３２に入射される。すなわち、当該蛍光は、偏光分離層４４１を通過することにより、当該偏光分離層４４１にて反射された青色光である光源光と合成され、照明光として均一化装置３２に入射される。
なお、波長変換層４９３は、光源光の入射によって発熱し、当該波長変換層４９３にて生じた熱は、反射層４９４を介して支持体４９２に伝達される。この支持体４９２に伝達された熱は、当該支持体４９２において面４９２Ａとは反対側の面４９２Ｂに接続される放熱部材４９６によって放熱される。
【００３６】
このような光源装置３１の構成の一部は、略密閉された筐体である第２密閉筐体５４１（図３参照）内に配置される。そして、詳しくは後述するが、光源装置３１の各構成のうち、冷却対象である光拡散装置４７及び波長変換装置４９には、第２密閉筐体５４１内の第４冷媒ＲＥ４が流通し、これにより、当該冷却対象は冷却される。
【００３７】
［均一化装置及び色分離装置の構成］
図１に示す均一化装置３２は、光源装置３１から出射された光束の中心軸に対する直交面内の照度を均一化する。この均一化装置３２は、１／２波長板である位相差素子３２０、ＵＶフィルター３２１、第１レンズアレイ３２２、調光装置３２３、第２レンズアレイ３２４、偏光変換素子３２５及び重畳レンズ３２６を有する。これらのうち、偏光変換素子３２５は、入射された光の偏光方向を揃えるものである。
色分離装置３３は、均一化装置３２から入射される光束を、赤（Ｒ）、緑（Ｇ）及び青（Ｂ）の３つの色光に分離する。この色分離装置３３は、ダイクロイックミラー３３１，３３２、反射ミラー３３３〜３３６及びリレーレンズ３３７を有する。
【００３８】
［電気光学装置の構成］
電気光学装置３４は、分離された各色光を変調した後、変調された各色光を合成して、投射光学装置３５によって投射される画像光を形成する。この電気光学装置３４は、それぞれ色光毎に設けられるフィールドレンズ３４１及び光変調装置３４２と、１つの色合成装置３４３と、を有する。
これらのうち、各光変調装置３４２（赤、緑及び青用の光変調装置を、それぞれ３４２Ｒ，３４２Ｇ，３４２Ｂとする）は、対応するフィールドレンズ３４１を介して入射される色光を変調する液晶パネルＣＰ（図３参照）と、当該液晶パネルの光入射側及び光出射側に位置する入射側偏光板ＩＰ及び出射側偏光板ＥＰ（それぞれ図３参照）と、を有する。すなわち、光変調装置３４２は、液晶ライトバルブによって構成されている。
【００３９】
色合成装置３４３は、略四角柱状に形成されたクロスダイクロイックプリズムにより構成されている。この色合成装置３４３は、各光変調装置３４２を通過した色光が入射される３つの光入射面と、当該色光を合成して形成される画像光が出射される光出射面とを有する。そして、当該光出射面は、投射光学装置３５と対向している。
なお、詳しい図示を省略するが、各光変調装置３４２を構成する液晶パネルＣＰ及び出射側偏光板ＥＰと、色合成装置３４３とは、保持部材によって一体化されている。
【００４０】
［投射光学装置及び光学部品用筐体の構成］
投射光学装置３５は、色合成装置３４３により合成された画像光を拡大投射する。この投射光学装置３５としては、鏡筒内に複数のレンズが配置された組レンズを採用できる。
光学部品用筐体３６は、内部に照明光軸Ａｘが設定された箱状筐体である。この光学部品用筐体３６内における照明光軸Ａｘ上の位置に、光源装置３１、均一化装置３２、色分離装置３３及び電気光学装置３４は、配置される。また、投射光学装置３５は、光学部品用筐体３６外に位置するものの当該照明光軸Ａｘに応じて配置される。
このような光学部品用筐体３６は、他の筐体と組み合わされて、後述する第１循環流路５１を構成する第１密閉筐体５１１を構成する。この第１密閉筐体５１１によって、内部が略密閉された第１空間Ｓ１が形成され、当該第１空間Ｓ１には、上記電気光学装置３４及び偏光変換素子３２５が配置される。なお、第１密閉筐体５１１（第１空間Ｓ１）は、光学部品用筐体３６に形成された溝部（図示省略）に嵌め込まれたフィールドレンズ３４１によって一部が形成される。
【００４１】
［冷却装置の構成］
図３は、冷却装置５の構成を示す模式図である。
プロジェクター１は、上記構成の他、外装筐体２内に配置される冷却装置５を備える。この冷却装置５は、図３に示すように、第１循環流路５１と、第２循環流路５２と、第３循環流路５３と、第４循環流路５４と、を備える。
【００４２】
［第１循環流路の構成］
第１循環流路５１は、上記第１密閉筐体５１１内の気体である第１冷媒ＲＥ１が循環される流路であり、当該第１冷媒ＲＥ１によって第１冷却対象を冷却する。この第１循環流路５１は、第１密閉筐体５１１と、循環ファン５１２及び送風ファン５１３〜５１５と、第１熱交換器５２１と、を備えて構成される。
なお、第１冷媒ＲＥ１は、気体であればよく、空気以外の気体（窒素ガスやヘリウムガス等）であってもよい。
【００４３】
第１密閉筐体５１１は、上記のように光学部品用筐体３６と他の筐体とが組み合わされて構成されて、内部に上記第１空間Ｓ１を形成する。この第１空間Ｓ１には、それぞれ上記第１冷却対象である偏光変換素子３２５及び光変調装置３４２が配置される。
この他、第１空間Ｓ１には、循環ファン５１２及び送風ファン５１３〜５１５と、第１熱交換器５２１と、が配置される。これらのうち、第１熱交換器５２１は、内部を流通する第２冷媒ＲＥ２に第１冷媒ＲＥ１の熱を伝達し、これにより第１冷媒ＲＥ１を冷却するものであり、第１循環流路５１を構成する他、後述する第２循環流路５２を構成する。
循環ファン５１２は、第１冷媒ＲＥ１を循環させるファンであり、第１熱交換器５２１近傍に配置される。この循環ファン５１２は、第１熱交換器５２１にて冷却された第１冷媒ＲＥ１を、光変調装置３４２側に送出する。
【００４４】
送風ファン５１３，５１４は、それぞれ光変調装置３４２に第１冷媒ＲＥ１を送出する。これらのうち、送風ファン５１３は、光変調装置３４２の液晶パネルＣＰと出射側偏光板ＥＰとに第１冷媒ＲＥ１を送出し、送風ファン５１４は、光変調装置３４２の入射側偏光板ＩＰと液晶パネルＣＰとに第１冷媒ＲＥ１を送出する。これら送風ファン５１３，５１４のそれぞれは、本実施形態では、光変調装置３４２毎に設けられている。
送風ファン５１５は、第１冷媒ＲＥ１を偏光変換素子３２５に送出する。
【００４５】
このような第１循環流路５１では、上記第１冷却対象を冷却した第１冷媒ＲＥ１は、上記循環ファン５１２によって吸引され、第１熱交換器５２１によって冷却された後、再度、光変調装置３４２に向けて送出される。このように、第１冷媒ＲＥ１は、第１密閉筐体５１１内に形成された第１循環流路５１を循環する。
【００４６】
［第２循環流路の構成］
第２循環流路５２は、液体冷媒である第２冷媒ＲＥ２が循環する流路であり、第１冷媒ＲＥ１を冷却する。この第２循環流路５２は、第１熱交換器５２１、タンク５２２、ポンプ５５（流入室５５２）及び第２熱交換器５６（受熱部５６１）と、光変調装置冷却部（図示省略）と、これらを接続する複数の接続部材ＣＭと、を備えて構成されている。
なお、複数の接続部材ＣＭは、内部を第２冷媒ＲＥ２が流通可能に形成された管状部材である。また、第２冷媒ＲＥ２としては、水やプロピレングリコール等の不凍液を例示できる。
【００４７】
第１熱交換器５２１は、第１密閉筐体５１１内に配置され、内部を流通する第２冷媒ＲＥ２に上記第１冷媒ＲＥ１の熱を伝達して、当該第１冷媒ＲＥ１を冷却する。
タンク５２２は、第２冷媒ＲＥ２を一時的に貯留する。このタンク５２２に貯留された第２冷媒ＲＥ２は、ポンプ５５によって吸引される。
【００４８】
ポンプ５５は、圧送部５５１及び流入室５５２，５５３を有する。
流入室５５２には、タンク５２２から第２冷媒ＲＥ２が流入される。この流入室５５２に流入された第２冷媒ＲＥ２は、圧送部５５１の駆動によって、第２熱交換器５６の受熱部５６１を介して第１熱交換器５２１に流通される。
流入室５５３には、後述する第３循環流路５３を循環する第３冷媒ＲＥ３が流入される。この流入室５５３に流入された第３冷媒ＲＥ３は、詳しくは後述するが、圧送部５５１の駆動によって第３熱交換器５３２に圧送される。
【００４９】
第２熱交換器５６は、ポンプ５５から圧送された第２冷媒ＲＥ２が流通する受熱部５６１と、第３冷媒ＲＥ３が流通する放熱部５６２と、当該受熱部５６１によって受熱された第２冷媒ＲＥ２の熱を放熱部５６２に伝達する熱伝達部５６３と、を備える。この第２熱交換器５６によって、第３冷媒ＲＥ３に熱が伝達されて冷却された第２冷媒ＲＥ２は、上記第１熱交換器５２１に流通される。
【００５０】
ここで、複数の接続部材ＣＭのうち、第２熱交換器５６にて冷却された第２冷媒ＲＥ２が流通する接続部材ＣＭ１は、分岐部ＣＭ１１を有し、当該分岐部ＣＭ１１によって、接続部材ＣＭ１を流通する第２冷媒ＲＥ２の一部は、第１熱交換器５２１に流通され、他の一部は、光変調装置３４２に流通される。すなわち、光変調装置３４２は、当該光変調装置に設けられて、内部を第２冷媒ＲＥ２が流通する光変調装置冷却部（図示省略）によっても冷却される。
また、複数の接続部材ＣＭのうち、タンク５２２に第２冷媒ＲＥ２を流通させる接続部材ＣＭ２は、第１熱交換器５２１を流通した第２冷媒ＲＥ２と、光変調装置３４２を流通した第２冷媒ＲＥ２とが合流する合流部ＣＭ２１を有する。
【００５１】
このような第２循環流路５２では、タンク５２２に貯留された第２冷媒ＲＥ２は、ポンプ５５によって吸引され、第２熱交換器５６に圧送される。この第２熱交換器５６の受熱部５６１を流通して冷却された第２冷媒ＲＥ２は、上記接続部材ＣＭ１によって、第１熱交換器５２１と、光変調装置３４２に設けられた上記光変調装置冷却部とに分流される。これら第１熱交換器５２１から熱が伝達された第２冷媒ＲＥ２、及び、光変調装置冷却部によって光変調装置３４２の熱が伝達された第２冷媒ＲＥ２は、接続部材ＣＭ２を介してタンク５２２に流入され、当該タンク５２２にて再度貯留される。なお、上記のように、第２冷媒ＲＥ２の熱は、第２熱交換器５６にて第３冷媒ＲＥ３に伝達される。
【００５２】
［第４循環流路の構成］
ここで、先に第４循環流路５４について先に説明する。
第４循環流路５４は、第２密閉筐体５４１内の気体である第４冷媒ＲＥ４を循環させて、当該第２密閉筐体５４１内に位置する冷却対象を冷却する流路である。この第４循環流路５４は、第２密閉筐体５４１と、当該第２密閉筐体５４１内に配置される循環ファン５４２と、第３熱交換器５３２と、を備える。なお、第４冷媒ＲＥ４は、第１冷媒ＲＥ１と成分が同じでも異なっていてもよい。
【００５３】
第２密閉筐体５４１は、内部に略密閉された第２空間Ｓ２を形成する。この第２密閉筐体５４１内には、上記光源装置３１の構成の一部（本実施形態では光拡散装置４７及び波長変換装置４９）が配置され、これにより、外装筐体２内に侵入した塵埃の当該構成への付着が抑制される。
また、第２密閉筐体５４１内には、内部を第３冷媒ＲＥ３が流通する第３熱交換器５３２が配置され、当該第３熱交換器５３２によって、第２密閉筐体５４１内の第４冷媒ＲＥ４が冷却される。このように、第３熱交換器５３２は、第４循環流路５４を構成する他、第３循環流路５３を構成する。
【００５４】
循環ファン５４２は、第２密閉筐体５４１内にて第４冷媒ＲＥ４を循環させるファンである。この循環ファン５４２は、第３熱交換器５３２近傍に配置され、当該第３熱交換器５３２にて冷却された第４冷媒ＲＥ４を光拡散装置４７及び波長変換装置４９に流通させて、これら装置４７，４９を冷却する。
なお、図３においては、第４冷媒ＲＥ４は、光拡散装置４７を流通した後、波長変換装置４９に流通するように図示されている。しかしながら、これに限らず、第４冷媒ＲＥ４の流通順は逆でもよく、また、２つに分流された第４冷媒ＲＥ４が、それぞれ光拡散装置４７及び波長変換装置４９に流通してもよい。
【００５５】
［第３循環流路の構成］
第３循環流路５３は、上記第２熱交換器５６にて第２冷媒ＲＥ２の熱が伝達される液体冷媒である第３冷媒ＲＥ３（換言すると第２冷媒ＲＥ２を冷却する第３冷媒ＲＥ３）が循環する流路であり、光源装置３１の光源部４０を冷却する流路である。この第３循環流路５３は、タンク５３１、ポンプ５５（流入室５５３）、第３熱交換器５３２、光源冷却器５３３、冷却構造５３４及び第２熱交換器５６（放熱部５６２）と、これらを接続する複数の接続部材ＣＮと、を備えて構成されている。
これらのうち、複数の接続部材ＣＮは、内部を第３冷媒ＲＥ３が流通可能な管状部材である。なお、第３冷媒ＲＥ３の成分は、第２冷媒ＲＥ２の成分は同じであってもよく、異なっていてもよい。
【００５６】
タンク５３１は、上記第２熱交換器５６の放熱部５６２と接続され、第３冷媒ＲＥ３を一時的に貯留する。
ポンプ５５は、上記のように、圧送部５５１によって、タンク５３１から流入室５５３に流入された第３冷媒ＲＥ３を第３熱交換器５３２に圧送する。
【００５７】
第３熱交換器５３２は、第３冷媒ＲＥ３が流通する流路が内部に形成されている。そして、第３熱交換器５３２は、第２密閉筐体５４１内を循環する第４冷媒ＲＥ４の熱を当該第３冷媒ＲＥ３に伝達し、これにより、当該第４冷媒ＲＥ４を冷却する。このような第３熱交換器５３２を流通した第３冷媒ＲＥ３は、光源冷却器５３３に流通する。
【００５８】
光源冷却器５３３は、それぞれ上記した第１光源部４０１及び第２光源部４０２の各固体光源アレイＳＡ（図２参照）の一部を構成するとともに、これら光源部４０１，４０２の熱を第３冷媒ＲＥ３に伝達して、当該光源部４０１，４０２を冷却する熱交換器である。この光源冷却器５３３は、詳しい図示を省略するが、当該固体光源アレイＳＡを構成して、上記複数の固体光源ＳＳを支持する熱伝導部材であり、当該光源冷却器５３３には、第３冷媒ＲＥ３が流通可能な複数の流路が形成されている。これら光源冷却器５３３には、第３熱交換器５３２を流通した第３冷媒ＲＥ３が分流されて供給され、各光源部４０１，４０２が冷却される。このようにして各光源部４０１，４０２を冷却した第３冷媒ＲＥ３は、合流されて冷却構造５３４の熱交換装置６に流通する。
なお、第３冷媒ＲＥ３は、分流されずに、第１光源部４０１を構成する光源冷却器５３３と第２光源部４０２を構成する光源冷却器５３３とのうち、一方に先に供給され、他方に後に供給されてもよい。
【００５９】
冷却構造５３４は、冷却ファン５３４１及び熱交換装置６を有し、これらによって第３冷媒ＲＥ３を冷却する。
冷却ファン５３４１は、外装筐体２内の冷却気体である第５冷媒を熱交換装置６に送出する。なお、熱交換装置６にて第３冷媒ＲＥ３の熱が伝達された第５冷媒は、上記外装筐体２に位置する排気口を介して、当該外装筐体２の外部に排出される。なお、冷却ファン５３４１は、１つに限らず、複数設けられていてもよい。
熱交換装置６は、詳しくは後述するが、光源冷却器５３３から流通する第３冷媒ＲＥ３が内部を流通する過程にて、当該第３冷媒ＲＥ３の熱を上記第５冷媒に伝達して、第３冷媒を冷却する。冷却された第３冷媒ＲＥ３は、上記第２熱交換器５６の放熱部５６２に流通される。
【００６０】
このような第３循環流路５３では、タンク５３１に貯留された第３冷媒ＲＥ３は、ポンプ５５によって圧送されて、第２密閉筐体５４１内の第３熱交換器５３２に供給される。この第３熱交換器５３２によって、第２密閉筐体５４１内の上記第４冷媒ＲＥ４が冷却される。そして、第３熱交換器５３２を流通した第３冷媒ＲＥ３は、上記光源冷却器５３３を流通して、第１光源部４０１及び第２光源部４０２の各固体光源ＳＳを冷却する。これら光源部４０１，４０２を冷却した第３冷媒ＲＥ３は、冷却構造５３４に供給され、熱交換装置６にて冷却された後、第２熱交換器５６の放熱部５６２に流通する。この放熱部５６２にて第２冷媒ＲＥ２の熱が伝達された第３冷媒ＲＥ３は、タンク５３１に再度貯留される。
【００６１】
［熱交換装置の構成］
図４は、熱交換装置６の内部構成を示す模式図である。
熱交換装置６は、上記のように、接続部材ＣＮを介して光源冷却器５３３と接続される他、他の接続部材ＣＮを介して上記第２熱交換器５６の放熱部５６２と接続され、上記冷却ファン５３４１によって流通される第５冷媒に、内部を流通する第３冷媒ＲＥ３の熱を伝達し、これにより、当該第３冷媒ＲＥ３を冷却する。このような熱交換装置６は、図４に示すように、流入路６１と、流出路６２と、これら流入路６１及び流出路６２を接続する複数の流路６３と、を有する。
なお、以下の説明では、互いに直交する＋Ｘ方向、＋Ｙ方向及び＋Ｚ方向のうち、＋Ｘ方向を、熱交換装置６における左方向（図４の図面視で左方向）とし、＋Ｙ方向を、熱交換装置６における下方向（図４の図面視で下方向）とし、＋Ｚ方向を、熱交換装置６における奥行方向（図４の紙面に対して垂直な方向のうち奥に向かう方向）とする。また、図示を省略するが、＋Ｘ方向とは反対方向を−Ｘ方向とする。−Ｙ方向及び−Ｚ方向も同様である。
【００６２】
流入路６１は、−Ｙ方向側の端部に位置して、第３冷媒ＲＥ３が流入される流入口６１１と、＋Ｙ方向側に位置する終端６１Ｔとを有する筒状に形成されており、中心軸が＋Ｙ方向に沿うように配置される。この流入路６１は、接続部材ＣＮを介して光源冷却器５３３と接続され、流入口６１１を介して、当該光源冷却器５３３を流通した第３冷媒ＲＥ３が内部に流入する。そして、当該第３冷媒ＲＥ３は、流入路６１内を＋Ｙ方向に沿って流通する。すなわち、＋Ｙ方向は、流入路６１内における第３冷媒ＲＥ３の流通方向に沿う方向である。以下、当該流通方向を、流入路内流通方向という。
【００６３】
流出路６２は、＋Ｙ方向側の端部に位置して、第３冷媒ＲＥ３を熱交換装置６外へ流出させる流出口６２１と、−Ｙ方向側に位置する基端を有する筒状に形成されている。この流出路６２は、中心軸が流入路６１内を流通する第３冷媒ＲＥ３の流通方向（＋Ｙ方向）に沿うように配置される。すなわち、流入路６１及び流出路６２のそれぞれの中心軸は、互いに平行であり、流入路６１における流入口６１１の開口側（−Ｙ方向側）と、流出路６２における流出口６２１の開口側（＋Ｙ方向側）とは、熱交換装置６において互いに反対側となる。このような流出路６２は、第２熱交換器５６の放熱部５６２と接続される接続部材ＣＮに、流出口６２１を介して、当該流出路６２を流通した第３冷媒ＲＥ３を流出させる。
【００６４】
複数の流路６３は、流入路６１からそれぞれ分岐するように＋Ｘ方向にそれぞれ延出し、＋Ｙ方向（流入路内流通方向）に並んで配列されており、それぞれ流入路６１と流出路６２とを接続する。具体的に、これら流路６３における−Ｘ方向側の端部は、流入路６１に接続され、＋Ｘ方向側の端部は、流出路６２に接続されている。詳述すると、複数の流路６３の一方（−Ｘ方向側）の端部は、流入路６１における流入口６１１から終端６１Ｔまでの間にて、流入路６１とそれぞれ接続されている。また、複数の流路６３の他方（＋Ｘ方向側）の端部は、流出路６２における基端（−Ｙ方向側の端部）から流出口６２１までの間にて、流出路６２とそれぞれ接続されている。これら流路６３は、内部を第３冷媒ＲＥ３が流通可能に構成されている。
このような複数の流路６３のそれぞれには、流入路６１を流通した第３冷媒ＲＥ３が流入され、当該第３冷媒ＲＥ３は、各流路６３の延出方向である＋Ｘ方向に流通し、上記流出路６２に流入される。すなわち、複数の流路６３は、流入路６１から流入する第３冷媒ＲＥ３を流出路６２へ流通させる。
【００６５】
図５は、流路形成部材ＦＭを示す概要斜視図である。
このような熱交換装置６の一部は、図５に示す流路形成部材ＦＭが厚さ方向（＋Ｙ方向）に複数重ね合わされて（積層されて）構成されている。換言すると、図５に示す流路形成部材ＦＭは、流入路６１及び流出路６２の一部と、１つの流路６３とを形成する。
この流路形成部材ＦＭは、一方向（＋Ｘ方向）に延出する板状部材であり、表裏が略同じ形状に形成されている。このような流路形成部材ＦＭは、金属等の熱伝導材料によって形成されている。また、流路形成部材ＦＭは、流路形成部ＦＭ１と、当該流路形成部ＦＭ１の両端に位置する接続部ＦＭ２，ＦＭ３と、を有する。
【００６６】
流路形成部ＦＭ１は、平板状に形成されている。この流路形成部ＦＭ１の内部には、液体冷媒が流通可能な流路ＦＭ１１が形成されており、複数の流路形成部材ＦＭが組み合わされて熱交換装置６の一部が構成された際に、当該流路ＦＭ１１は、上記流路６３となる。
【００６７】
接続部ＦＭ２は、熱交換装置６における流入路６１の一部を形成する。この接続部ＦＭ２は、流路形成部ＦＭ１の一方の面（−Ｙ方向側の面）からボスの様に突出する突出部ＦＭ２１と、他方の面（＋Ｙ方向側の面）からボスの様に突出する突出部ＦＭ２２と、これら突出部ＦＭ２１，ＦＭ２２を＋Ｙ方向に沿って貫通する貫通口ＦＭ２３と、を有する。
突出部ＦＭ２１は、流路形成部材ＦＭに対して当該突出部ＦＭ２１の突出側（−Ｙ方向側）に配置される他の流路形成部材ＦＭの突出部ＦＭ２２と接続される。突出部ＦＭ２２は、流路形成部材ＦＭに対して当該突出部ＦＭ２２の突出側（＋Ｙ方向側）に配置される他の流路形成部材ＦＭの突出部ＦＭ２１と接続される。
貫通口ＦＭ２３は、断面が略円形状となる開口であり、上記流路形成部ＦＭ１の流路ＦＭ１１と内部にて連通されている。このため、当該貫通口ＦＭ２３における−Ｙ方向側の開口から内部に流入された液体冷媒（第３冷媒ＲＥ３）の一部は、＋Ｙ方向側の開口から流出され、他の一部は、上記流路ＦＭ１１内に流入され、接続部ＦＭ３へと流通する。
【００６８】
接続部ＦＭ３は、熱交換装置６における流出路６２の一部を形成する。この接続部ＦＭ３は、上記接続部ＦＭ２と同様の構成を有する。すなわち、接続部ＦＭ３は、流路形成部ＦＭ１の一方の面（−Ｙ方向側の面）からボスの様に突出する突出部ＦＭ３１と、他方の面（＋Ｙ方向側の面）からボスの様に突出する突出部ＦＭ３２と、これら突出部ＦＭ３１，ＦＭ３２を＋Ｙ方向に沿って貫通する貫通口ＦＭ３３と、を有する。
突出部ＦＭ３１は、流路形成部材ＦＭに対して当該突出部ＦＭ３１の突出側に配置される他の流路形成部材ＦＭの突出部ＦＭ３２と接続される。突出部ＦＭ３２は、流路形成部材ＦＭに対して当該突出部ＦＭ３２の突出側に連結される他の流路形成部材ＦＭの突出部ＦＭ３１と接続される。なお、突出部ＦＭ２１，ＦＭ２２，ＦＭ３１，ＦＭ３２と他の流路形成部材ＦＭとの接続は、接着や溶着により行われる。
貫通口ＦＭ３３は、断面が略円形状となる開口であり、上記流路形成部ＦＭ１の流路ＦＭ１１と連通されている。このため、当該貫通口ＦＭ３３における−Ｙ方向側の開口から内部に流入された液体冷媒と、流路ＦＭ１１を流通した液体冷媒とは、当該貫通口ＦＭ３３内にて合流し、合流した液体冷媒は、当該貫通口ＦＭ３３における＋Ｙ方向側の開口から外部に流出される。
【００６９】
このような流路形成部材ＦＭが複数連結されることによって構成された上記熱交換装置６では、上記のように、各接続部ＦＭ２によって流入路６１が形成され、各接続部ＦＭ３によって流出路６２が形成され、各流路ＦＭ１１によって複数の流路６３が形成される。
なお、熱交換装置６における各流路形成部ＦＭ１の間には、図４に示すように、上記冷却ファン５３４１によって流通される第５冷媒が＋Ｚ方向に沿って通過可能な隙間ＧＰが形成されている。これら隙間ＧＰを第５冷媒が流通することによって、第３冷媒ＲＥ３の熱が第５冷媒に伝達され、ひいては、第３冷媒ＲＥ３が冷却される。
【００７０】
なお、本実施形態において、熱交換装置６を構成する複数の流路形成部材ＦＭのうち最も外側となる２つの流路形成部材ＦＭ（最も−Ｙ方向側の流路形成部材ＦＭ、及び、最も＋Ｙ方向側の流路形成部材ＦＭ）は、貫通口ＦＭ２３及び貫通口ＦＭ３３のうち一方の開口が閉塞されている。より具体的には、図４に示されるように、最も外側となる２つの流路形成部材ＦＭのうち＋Ｙ方向側の流路形成部材ＦＭは、貫通口ＦＭ２３の＋Ｙ方向側の開口（突出部ＦＭ２２の開口）が閉塞されて形成されている。また、最も外側となる２つの流路形成部材ＦＭのうち−Ｙ方向側の流路形成部材ＦＭは、貫通口ＦＭ３３の−Ｙ方向側の開口（突出部ＦＭ３１の開口）が閉塞されて形成されている。さらに、他の形態として、＋Ｙ方向側の流路形成部材ＦＭにおいて突出部ＦＭ２２が形成されずに開口が閉塞されており、−Ｙ方向側の流路形成部材ＦＭにおいて突出部ＦＭ３１が形成されずに開口が閉塞されている構成としてもよい。
【００７１】
［流入路における緩衝部］
上記流入路６１は、図４に示すように、＋Ｙ方向において流入口６１１から終端６１Ｔまでの間で等間隔となる位置に、複数の緩衝部６１２を有する。本実施形態では、緩衝部６１２は、２つ設けられている。
これら緩衝部６１２は、流入路６１の内壁から径方向内側に突出している。また、緩衝部６１２は、当該緩衝部６１２が位置する部位の流入路６１における断面積を、緩衝部６１２が設けられていない部位の断面積より小さくする縮径部であり、流入路６１に流入された第３冷媒ＲＥ３の流速を低下させる機能を有する。すなわち、緩衝部６１２は、流入路６１を縮径させる縮径部であることから、当該緩衝部６１２を第３冷媒ＲＥ３が流通する際に、流入路内流通方向における流路抵抗が大きくなり、当該第３冷媒ＲＥ３の流速が低下される。これにより、当該緩衝部６１２近傍の部位（当該上流側の部位）に接続された複数の流路６３のそれぞれに、第３冷媒ＲＥ３が流通しやすくなる。
【００７２】
なお、本実施形態において、複数の緩衝部６１２は、図４に示したように、流路形成部材ＦＭの貫通口ＦＭ２３の内壁に設けられる構成としたが、これに限られない。緩衝部６１２は、例えば、流路形成部材ＦＭの貫通口ＦＭ２３の内径全体が、他の流路形成部材ＦＭの貫通口ＦＭ２３の内径よりも小さく形成されることで構成されてもよい。また、互いに接続される２つの流路形成部材ＦＭのうち、−Ｙ方向側に位置する流路形成部材ＦＭの突出部ＦＭ２２と、＋Ｙ方向側に位置する流路形成部材ＦＭの突出部ＦＭ２１との間に、内径が貫通口ＦＭ２３の内径より小さいワッシャーのような部材を介装することによって、緩衝部６１２を構成してもよい。
【００７３】
［緩衝部が設けられていない熱交換装置との比較］
ここで、上記緩衝部６１２が設けられていない熱交換装置について検討する。なお、図示を省略するが、緩衝部６１２が設けられていない他は上記熱交換装置６と同様の構成を有する熱交換装置を、熱交換装置６Ｘとする。
熱交換装置６Ｘでは、流入口６１１から流入路６１内に流入された第３冷媒ＲＥ３は、流速がそれほど低下されずに当該流入路６１の終端６１Ｔに流通する。このことから、流入路６１の終端６１Ｔにて第３冷媒ＲＥ３の流速が低下する。このため、第３冷媒ＲＥ３は、複数の流路６３のうち、流入路６１において当該終端６１Ｔ近傍の部位と接続される流路６３には流通しやすく、当該終端６１Ｔ近傍の部位から離れた部位（例えば流入口６１１近傍の部位）と接続される流路６３には流通しにくい。これを偏流と称する。
このような偏流が発生すると、流入路６１における終端６１Ｔ側の流路６３への第３冷媒ＲＥ３の流量が多くなる一方、流入口６１１側の流路６３への第３冷媒ＲＥ３の流量が少なくなり、第３冷媒ＲＥ３の冷却（気体冷媒である上記第５冷媒への熱伝達）を効率よく実施できない。
【００７４】
これに対し、上記熱交換装置６では、流入路６１に上記緩衝部６１２が設けられていることにより、流入路６１内に流入された第３冷媒ＲＥ３の流速は、緩衝部６１２にて低下される。このため、緩衝部６１２に対して第３冷媒ＲＥ３の流通方向上流側の部位に接続された流路６３に、第３冷媒ＲＥ３が流通しやすくなる。なお、当該緩衝部６１２に対して下流側（＋Ｙ方向側）に位置する緩衝部６１２も同様である。
また、これら緩衝部６１２を通過して流入路６１の終端６１Ｔに第３冷媒ＲＥ３が到達した場合も、当該終端６１Ｔにて第３冷媒ＲＥ３の流速が低下するため、当該終端６１Ｔ近傍の部位に接続された流路６３にも、第３冷媒ＲＥ３が流通しやすい。
このように、熱交換装置６においては、全ての流路６３に第３冷媒ＲＥ３が流通しやすくなることから、第３冷媒ＲＥ３の冷却効率を、上記熱交換装置６Ｘによる第３冷媒ＲＥ３の冷却効率に比べて向上させることができる。
【００７５】
［第１実施形態の効果］
以上説明した本実施形態に係るプロジェクター１によれば、以下の効果を奏することができる。
熱交換装置６において、流入口６１１を介して流入路６１に流入された第３冷媒ＲＥ３（液体冷媒）は、当該流入路６１を流通する第３冷媒ＲＥ３の流通方向（＋Ｙ方向）に並んで配置された複数の流路６３を流通して、流出路６２に流入し、流出口６２１を介して外部に排出される。この際、流入口６１１から終端６１Ｔまでの間に緩衝部６１２が位置することにより、当該緩衝部６１２近傍の部位にて、第３冷媒ＲＥ３の流速は低下される。このことから、上記複数の流路６３のうち、終端６１Ｔ近傍の部位に接続された流路６３だけでなく、当該緩衝部６１２近傍の部位に接続された流路６３にも第３冷媒ＲＥ３を流通させやすくすることができる。従って、各流路６３に第３冷媒ＲＥ３を流通させやすくすることができ、第３冷媒ＲＥ３の冷却効率を向上させることができる。
また、熱交換装置６は、上述の特許文献に示されるようなヘッダーを設ける必要がないので、ヘッダーを有する構成に比べて小型化できる。
【００７６】
緩衝部６１２は、当該緩衝部６１２が位置する部位の流入路６１の断面積を、当該緩衝部６１２が設けられていない部位の断面積より小さくする。これによれば、緩衝部６１２近傍の部位における流入路内流通方向の流路抵抗を確実に大きくすることができる。従って、当該緩衝部６１２近傍の部位に接続された流路６３に、第３冷媒ＲＥ３を確実に流通させることができる。
【００７７】
緩衝部６１２は、流入路６１の内壁から径方向内側に突出し、流入路６１を縮径させる縮径部である。これによれば、緩衝部６１２を簡易に構成できる。従って、複雑な構成を採用することなく、上記効果を奏する熱交換装置６を構成できる。
【００７８】
緩衝部６１２は、流入路６１に複数設けられている。これによれば、流入路６１において流入路内流通方向の流路抵抗が大きくなる部位を複数設定できるので、上記複数の流路６３の全てに、第３冷媒ＲＥ３を効率よく流通させることができる。従って、熱交換装置６による第３冷媒ＲＥ３の冷却効率を一層向上させることができる。
【００７９】
流入路６１と流出路６２とは、互いに平行に配置されている。これによれば、流入路６１と流出路６２とが平行でない場合に比べて、熱交換装置６を小型化できる。
【００８０】
［第２実施形態］
次に、本発明の第２実施形態について説明する。
本実施形態に係るプロジェクターは、上記プロジェクター１と同様の構成を備えるが、第３循環流路５３に設けられる熱交換装置の構成が異なる。なお、以下の説明では、既に説明した部分と同一又は略同一である部分については、同一の符号を付して説明を省略する。
【００８１】
図６は、本実施形態に係るプロジェクターが備える熱交換装置６Ａの内部構成を示す模式図である。
本実施形態に係るプロジェクターは、第１実施形態の熱交換装置６に代えて熱交換装置６Ａを有する他は、上記プロジェクター１と同様の構成及び機能を有する。
この熱交換装置６Ａは、上記熱交換装置６と同様に、第３循環流路５３を構成するものであり、接続部材ＣＮを介して上記光源冷却器５３３と接続される他、他の接続部材ＣＮを介して上記第２熱交換器５６の放熱部５６２と接続され、当該光源冷却器５３３から流通する第３冷媒ＲＥ３の熱を第５冷媒に伝達して、当該第３冷媒ＲＥ３を冷却する。このような熱交換装置６Ａは、図６に示すように、流入路６１Ａと、流出路６２と、流入路６１Ａ及び流出路６２を接続する複数の流路６３と、を有する。なお、熱交換装置６Ａの一部も、上記流路形成部材ＦＭを＋Ｙ方向に沿って複数重ね合わせることによって構成可能である。この場合、複数の流路６３は、上記流路形成部ＦＭ１によって形成される。
【００８２】
流入路６１Ａは、流入路６１と同様に、筒状に形成され、当該筒状の底部が、流入路６１Ａにおける終端６１ＡＴとなる。この流入路６１Ａは、接続部材ＣＮを介して流入路６１Ａ内に第３冷媒ＲＥ３を流入させる流入口６１１を有する他、第１実施形態の緩衝部６１２に代えて緩衝部６１３を有する。すなわち、熱交換装置６Ａは、緩衝部６１２に代えて緩衝部６１３を有する他は、上記熱交換装置６と同様の構成を有する。
なお、流入路６１Ａの中心軸は、流出路６２の中心軸と平行である。
【００８３】
緩衝部６１３は、上記緩衝部６１２と同様に、流入路６１Ａ内を＋Ｙ方向に流通する第３冷媒ＲＥ３の流速を低下させるものであり、本実施形態では、流入路６１Ａ内に配置されるシャフトによって構成されている。
この緩衝部６１３は、シャフトの外径が第１の長さとなる第１部分と、当該第１部分よりも流入路６１Ａにおける第３冷媒ＲＥ３の流通方向（流入路内流通方向）における下流側（＋Ｙ方向側）に位置し、シャフトの外径が第１の長さよりも大きい第２の長さとなる第２部分と、を有する。より具体的には、緩衝部６１３は、流入路内流通方向における上流側（−Ｙ方向側）が細く、下流側（＋Ｙ方向側）が太い略錐形状に形成されている。すなわち、シャフトの外径は、流入路内流通方向（＋Ｙ方向）に向かうに従って大きくなる。また、この緩衝部６１３の長さ寸法（＋Ｙ方向の寸法）は、本実施形態では、流入路６１Ａにおける流入口６１１から終端６１ＡＴまでの長さに対して略２／３以上の長さである。しかしながら、これに限らず、当該緩衝部６１３の長さ寸法は、流入口６１１側の流路６３に第３冷媒ＲＥ３を効率よく流通させることができれば、適宜変更可能である。また、緩衝部６１３の底部（シャフトの底部）は、流入路６１Ａの終端６１ＡＴと接しているが、接していなくてもよい。
このような緩衝部６１３が位置する部位の流入路６１Ａの断面積のうち、第３冷媒ＲＥ３が流通可能な断面積は、緩衝部６１３が位置しない部位の断面積より小さい。
【００８４】
このような熱交換装置６Ａでは、熱交換装置６での場合と同様に、流入口６１１を介して流入路６１Ａに流入された第３冷媒ＲＥ３の流速は、当該緩衝部６１３が位置する部位にて低下する。この緩衝部６１３は、下流側に向かうに従って太径となる略錐形状に形成されていることから、流入路内流通方向における流路抵抗は、流入路６１Ａにおいて第３冷媒ＲＥ３の流通方向下流側（＋Ｙ方向側）に向かうに従って大きくなる。そして、緩衝部６１３の先端部は、流入路６１Ａにおける流入路内流通方向の中央より上流側（流入口６１１側）に位置し、緩衝部６１３の底部は、流入路６１Ａの終端６１ＡＴと接している。これにより、緩衝部６１３が無い場合に比べて、上記複数の流路６３の全てに第３冷媒ＲＥ３を均一に流通させやすくすることができる。
【００８５】
［第２実施形態の効果］
以上説明した本実施形態に係るプロジェクターによれば、上記プロジェクター１と同様の効果を奏することができる他、以下の効果を奏することができる。
緩衝部６１３は、流入路６１Ａ内に設けられるシャフトであり、当該緩衝部６１３は、外径が第１の長さとなる第１部分と、当該第１部分よりも流入路内流通方向における下流側に位置し、外径が第１の長さよりも大きい第２の長さとなる第２部分と、を有する。これによれば、上記第１部分にて、流路抵抗を大きくすることができ、第２部分にて、流路抵抗を更に大きくすることができる。このため、第１部分及び第２部分を液体冷媒が流通する際に、当該液体冷媒の流速を徐々に低下させることができる。従って、複数の流路６３のうち、流入口６１１から第１部分までの範囲に接続される流路６３、第１部分から第２部分までの範囲に接続される流路６３、及び、第２部分から終端６１ＡＴまでの範囲に接続される流路６３のそれぞれに、液体冷媒（第３冷媒ＲＥ３）を流通させやすくすることができる。従って、熱交換装置６Ａによる液体冷媒の冷却効率を一層向上させることができる。
【００８６】
シャフトである緩衝部６１３の外径は、流入路内流通方向に向かうに従って大きくなる。これによれば、流入路６１Ａにおいて第３冷媒ＲＥ３が流通可能な断面積を、当該流通方向に向かうに従って小さくすることができる。このため、当該第３冷媒ＲＥ３の流速を徐々に低下させることができる。従って、各流路６３に第３冷媒ＲＥ３を均一に流通させやすくすることができるので、第３冷媒ＲＥ３の冷却効率を向上させることができる。
【００８７】
［第３実施形態］
次に、本発明の第３実施形態について説明する。
本実施形態に係るプロジェクターは、上記プロジェクター１と同様の構成を備えるが、第３循環流路５３に設けられる熱交換装置の構成が異なる。なお、以下の説明では、既に説明した部分と同一又は略同一である部分については、同一の符号を付して説明を省略する。
【００８８】
図７は、本実施形態に係るプロジェクターが有する熱交換装置７の構成を示す模式図である。
本実施形態に係るプロジェクターは、第１実施形態の熱交換装置６に代えて熱交換装置７を有する他は、上記プロジェクター１と同様の構成及び機能を有する。
この熱交換装置７は、上記熱交換装置６，６Ａと同様に、第３循環流路５３を構成するものであり、接続部材ＣＮを介して上記光源冷却器５３３と接続される他、他の接続部材ＣＮを介して上記第２熱交換器５６の放熱部５６２と接続され、当該光源冷却器５３３から流通する液体冷媒である第３冷媒ＲＥ３の熱を第５冷媒に伝達して、当該第３冷媒ＲＥ３を冷却する。このような熱交換装置７は、図７に示すように、流入路７１、第１主流路７２、第２主流路７３、流出路７４、複数の第１流路７５、複数の第２流路７６及び複数の第３流路７７を有する。
【００８９】
流入路７１は、−Ｙ方向側の端部に位置し第３冷媒ＲＥ３が流入される流入口７１１と、＋Ｙ方向側に位置する終端７１Ｔとを有する筒状に形成されており、流入路７１内を流通する第３冷媒ＲＥ３の流通方向（流入路内流通方向であり、＋Ｙ方向）は、当該流入路７１の中心軸に沿う方向である。このような流入路７１における流入口７１１から終端７１Ｔまでの間には、当該流入路内流通方向に沿って並んで配置される複数の第１流路７５が接続される。なお、流入路７１の＋Ｙ方向における長さ寸法は、上記第１及び第２実施形態の流入路６１，６１Ａより短い。
【００９０】
第１主流路７２は、中心軸が流入路内流通方向（＋Ｙ方向）に沿うように配置される。この第１主流路７２は、中心軸方向の両端が閉塞された筒状に形成されており、＋Ｙ方向側に位置する終端７２Ｔは、第１主流路７２内の液体冷媒の流路における終端となる。このような第１主流路７２における−Ｙ方向側の部位は、＋Ｙ方向に沿って配列された複数の第１流路７５と接続され、流入路７１に流入して複数の第１流路７５を流通した第３冷媒ＲＥ３が、第１主流路７２の内部を流通する。また、第１主流路７２における＋Ｙ方向側の部位は、後述する複数の第２流路７６と接続され、当該第１主流路７２に流入した第３冷媒ＲＥ３は、複数の第２流路７６に流入する。
【００９１】
複数の第１流路７５は、内部を第３冷媒ＲＥ３が流通する流路であり、上記流入路内流通方向である＋Ｙ方向に交差する＋Ｘ方向に延出し、当該＋Ｙ方向に沿って並んで配列されている。これら第１流路７５における−Ｘ方向側の端部は、流入口７１１から終端７１Ｔまでの間にて流入路７１とそれぞれ接続され、＋Ｘ方向側の端部は、第１主流路７２における−Ｙ方向側の部位と接続されており、各第１流路７５は、流入路７１から流入される第３冷媒ＲＥ３を第１主流路７２に流通させる。
【００９２】
第２主流路７３は、中心軸が上記流入路内流通方向（＋Ｙ方向）に沿うように配置される。この第２主流路７３は、中心軸方向の両端が閉塞された筒状に形成されており、＋Ｙ方向側に位置する終端７３Ｔは、第２主流路７３内の液体冷媒の流路における終端となる。このような第２主流路７３における−Ｙ方向側の部位は、＋Ｙ方向に沿って配列された複数の第２流路７６と接続され、第１主流路７２を流通した後に複数の第２流路７６を流通した第３冷媒ＲＥ３が、第２主流路７３の内部を流通する。また、第２主流路７３における＋Ｙ方向側の部位は、後述する複数の第３流路７７と接続され、当該第２主流路７３に流入した第３冷媒ＲＥ３は、複数の第３流路７７に流入する。
【００９３】
複数の第２流路７６は、内部を第３冷媒ＲＥ３が流通する流路であり、上記第１流路７５と同様に、それぞれ＋Ｘ方向に延出し、＋Ｙ方向に沿って並んで配列されている。これら第２流路７６における＋Ｘ方向側の端部は、第１主流路７２における＋Ｙ方向側の部位と接続され、−Ｘ方向側の端部は、第２主流路７３における−Ｙ方向側の部位と接続されており、各第２流路７６は、第１主流路７２から流入される第３冷媒ＲＥ３を第２主流路７３に流通させる。
【００９４】
流出路７４は、＋Ｙ方向側の端部に位置し、第３冷媒ＲＥ３を熱交換装置７外へ流出させる流出口７４１と、−Ｙ方向側に位置する基端と、を有する筒状に形成されている。この流出路７４は、中心軸が上記流入路内流通方向（＋Ｙ方向）に沿うように配置されている。このような流出路７４には、上記基端から流出口７４１までの間に、後述する複数の第３流路７７が接続される。なお、流出路７４の＋Ｙ方向における長さ寸法は、上記実施形態の流出路６２より短い。
【００９５】
複数の第３流路７７は、内部を第３冷媒ＲＥ３が流通する流路であり、上記第１流路７５及び第２流路７６と同様に、それぞれ＋Ｘ方向に延出し、＋Ｙ方向に沿って並んで配列されている。これら第３流路７７における−Ｘ方向側の端部は、第２主流路７３における＋Ｙ方向側の部位と接続され、＋Ｘ方向側の端部は、流出路７４の基端（一端）から流出口７４１までの間にて流出路７４と接続されており、各第３流路７７は、第２主流路７３から流入される第３冷媒ＲＥ３を流出路７４に流通させる。
【００９６】
本実施形態の熱交換装置７において、流入路７１及び第２主流路７３のそれぞれの内径は同じである。そして、これら流入路７１及び第２主流路７３は、それぞれの中心軸が互いに平行となるように連結され、より詳細には、それぞれの中心軸が一致するように連結され、一体化されている。なお、流入路７１から第２主流路７３に第３冷媒ＲＥ３が直接流通することは規制されている。
また、第１主流路７２及び流出路７４のそれぞれの内径は同じである。そして、これら第１主流路７２及び流出路７４は、それぞれの中心軸が互いに平行となるように連結され、より詳細には、それぞれの中心軸が一致するように連結され、一体化されている。なお、第１主流路７２から流出路７４に第３冷媒ＲＥ３が直接流通することは規制されている。
【００９７】
更に、流入路７１及び第２主流路７３の中心軸と、第１主流路７２及び流出路７４の中心軸とは、平行である。
また、流入路７１と流出路７４とは、＋Ｙ方向における長さ寸法が略同じであり、第１主流路７２と第２主流路７３とは、＋Ｙ方向における長さ寸法が略同じである。具体的に、流入路７１及び流出路７４のそれぞれの長さ寸法は、熱交換装置７における同方向の寸法（＋Ｙ方向における寸法）の略１／３である。また、第１主流路７２及び第２主流路７３のそれぞれの長さ寸法は、熱交換装置７における同方向の寸法（＋Ｙ方向における寸法）の略２／３である。
【００９８】
このような熱交換装置７では、流入路７１における−Ｙ方向側の端部に位置する流入口７１１から当該流入路７１内に流通した第３冷媒ＲＥ３は、第１流路７５を＋Ｘ方向に流通して、第１主流路７２に流入される。この第３冷媒ＲＥ３は、当該第１主流路７２を＋Ｙ方向に流通した後、第２流路７６を−Ｘ方向に流通して、第２主流路７３に流入される。第２主流路７３に到達した第３冷媒ＲＥ３は、当該第２主流路７３を＋Ｙ方向に流通し、第３流路７７を＋Ｘ方向に流通して、流出路７４に流入される。そして、第３冷媒ＲＥ３は、流出路７４における＋Ｙ方向側の端部に位置する流出口７４１を介して、熱交換装置７の外部に排出される。なお、熱交換装置７の外部に排出された第３冷媒ＲＥ３は、接続部材ＣＮを通って、上記放熱部５６２に流通される。
【００９９】
ここで、流入路７１に流入された第３冷媒ＲＥ３が、当該流入路７１の終端７１Ｔに到達すると、当該終端７１Ｔでの第３冷媒ＲＥ３の流速は低下する。この流入路７１の長さ寸法は、上記第１及び第２実施形態の流入路６１，６１Ａの長さ寸法より短い。このため、流入路７１に接続された上記第１流路７５の全てに、第３冷媒ＲＥ３が流通する。
また、第１流路７５を流通して第１主流路７２に流入した第３冷媒が、当該第１主流路７２の終端７２Ｔに到達すると、当該終端７２Ｔでの第３冷媒ＲＥ３の流速は低下する。この第１主流路７２の長さ寸法は、流入路７１の長さ寸法より長いものの、上記第１及び第２実施形態の流入路６１，６１Ａの長さ寸法より短い。このため、第１主流路７２に接続された上記第２流路７６の全てに、第３冷媒ＲＥ３が流通する。
同様に、第２流路７６を流通して第２主流路７３に流入された第３冷媒ＲＥ３が、当該第２主流路７３の終端７３Ｔに到達すると、当該終端７３Ｔでの第３冷媒ＲＥ３の流速は低下する。この第２主流路７３の長さ寸法は、第１主流路７２の長さ寸法と略同じであり、上記第１及び第２実施形態の流入路６１，６１Ａの長さ寸法より短い。このため、第２主流路７３に接続された上記第３流路７７の全てに、第３冷媒ＲＥ３が流通する。
このように、流入路７１に流入された第３冷媒ＲＥ３は、各第１流路７５、各第２流路７６及び各第３流路７７に効率よく流通される。これにより、当該第３冷媒ＲＥ３は効果的に冷却される。
【０１００】
［第３実施形態の効果］
以上説明した本実施形態に係るプロジェクターによれば、上記プロジェクター１と同様の効果を奏することができる。
熱交換装置７は、流入路７１に流入された第３冷媒ＲＥ３を、第１流路７５、第１主流路７２、第２流路７６、第２主流路７３及び第３流路７７を介して、流出路７４に流通させる構成である。これによれば、当該流入路７１の長さ寸法を短くすることができるので、流入路７１に流入された第３冷媒ＲＥ３を、複数の第１流路７５のそれぞれに流通させやすくすることができる。同様に、第１主流路７２に流入された第３冷媒ＲＥ３を、複数の第２流路７６のそれぞれに流通させやすくすることができ、また、第２主流路７３に流入された第３冷媒ＲＥ３を、複数の第３流路のそれぞれに流通させやすくすることができる。このように、流入路７１に流入された第３冷媒ＲＥ３を、各第１流路７５、各第２流路７６及び各第３流路７７に流通させやすくすることができるので、当該第３冷媒ＲＥ３の冷却効率を向上させることができる。
【０１０１】
流入路７１と第２主流路７３とは、それぞれの中心軸が互いに平行となるように、そして、それぞれの中心軸が同軸となるように、一体化されている。また、第１主流路７２と流出路７４とは、それぞれの中心軸が互いに平行となるように、そして、それぞれの中心軸が同軸となるように、一体化されている。これによれば、流入路７１、複数の第１流路７５、第１主流路７２、複数の第２流路７６、第２主流路７３、複数の第３流路７７、流出路７４の順に流通する第３冷媒ＲＥ３は、熱交換装置７を−Ｚ方向側から見て、熱交換装置７内を略Ｓ字状に流通する。これにより、複数の第１流路７５、複数の第２流路７６及び複数の第３流路７７のそれぞれにおける第３冷媒ＲＥ３の流通方向が同じ方向となるように構成された熱交換装置に比べて、熱交換装置７を小型化できる。
【０１０２】
［実施形態の変形］
本発明は、上記各実施形態に限定されるものではなく、本発明の目的を達成できる範囲での変形、改良等は本発明に含まれるものである。
上記各実施形態では、熱交換装置６，６Ａ，７を構成する流路形成部材ＦＭの流路形成部ＦＭ１によって構成される上記流路６３，７５〜７７は、液体冷媒である第３冷媒ＲＥ３が、一方向（＋Ｘ方向又は−Ｘ方向）に直線状に流通するように形成されるとした。しかしながら、これに限らず、当該流路６３，７５〜７７における第３冷媒ＲＥ３の流通方向は、一直線状でなくてもよい。
【０１０３】
図８は、他の流路形成部材ＦＮを示す斜視図である。
例えば、図８に示す流路形成部材ＦＮを用いて、熱交換装置を構成してもよい。
この流路形成部材ＦＮは、流路形成部ＦＭ１に代えて流路形成部ＦＮ１を有する他は、上記各実施形態にて示した流路形成部材ＦＭと同様の構成及び機能を有する。すなわち、流路形成部材ＦＮは、流路形成部ＦＮ１及び接続部ＦＭ２，ＦＭ３を有する。
【０１０４】
これらのうち、流路形成部ＦＮ１は、上記各実施形態にて示した流路形成部ＦＭ１と同様に、内部に液体冷媒が流通可能な流路ＦＮ１１が形成されており、当該流路ＦＮ１１は、接続部ＦＭ２から接続部ＦＭ３に向かって蛇行（屈曲或いは湾曲）するように形成されている。すなわち、流路ＦＮ１１は、接続部ＦＭ２と接続部ＦＭ３とを結ぶ方向（±Ｘ方向）に対して、±Ｚ方向のうち一方側に傾斜して延出した後、他方側に傾斜して延出し、再度、当該一方側に傾斜して延出する。このような傾斜を繰り返して、流路ＦＮ１１は、液体冷媒が流通可能に接続部ＦＭ２と接続部ＦＭ３とを接続するように形成されている。
このような流路ＦＮ１１の傾斜は、直線状でもよく、湾曲していてもよい。
このような複数の流路形成部材ＦＮが組み合わされて構成される熱交換装置においても、上記各実施形態にて示した熱交換装置６，６Ａ，７と同様の効果を奏することができる。
なお、上記流路６３，７５〜７７が流路形成部ＦＮ１によって形成されない場合でも、当該流路６３，７５〜７７の少なくともいずれかが、流路ＦＮ１１のような蛇行した流路であってもよい。
【０１０５】
上記第１及び第２実施形態では、流入路内において液体冷媒の流速を低下させる緩衝部として、流入路６１の内壁から径方向内側に突出する縮径部である緩衝部６１２、及び、流入路６１Ａ内に配置される略錐形状のシャフトである緩衝部６１３を例示した。しかしながら、これに限らず、緩衝部の構成は、他の構成でもよい。例えば、流入路自体が、当該流入路を流通する液体冷媒の流通方向に向かうに従って、内径が小さくなり、当該液体冷媒が流通可能な断面積が小さくなるように形成されていてもよい。また、上記第３実施形態の流入路７１に、上記緩衝部６１２，６１３のいずれかが採用されてもよい。
また、シャフトである緩衝部が流入路に設けられる場合でも、当該シャフトは、流入路内流通方向に向かって外径が段階的に大きくなる形状（側面視階段状）に形成されていてもよい。この場合、それぞれ上記した第１部分及び第２部分を明確に構成できる。
【０１０６】
上記第１実施形態では、緩衝部６１２は、流入路６１の内壁から径方向内側に突出する縮径部であるとした。このような緩衝部６１２は、流入路６１の内壁の周方向における全周から突出していなくてもよい。例えば、緩衝部６１２は、流入路６１の周方向において等間隔に配置されていてもよい。
また、緩衝部６１２は、第３冷媒ＲＥ３が流通可能な断面積が当該第３冷媒ＲＥ３の流通方向に向かうに従って小さくなるように形成されていてもよい。この場合、流入路６１の内壁から径方向内側への緩衝部６１２の突出寸法が、当該流通方向に向かうに従って大きくなるように形成されていてもよい。また、複数の緩衝部６１２が設けられる場合には、上流側（−Ｙ方向側）の緩衝部６１２の突出寸法を小さくし、下流側（＋Ｙ方向側）の緩衝部６１２の突出寸法を大きくしてもよい。
なお、緩衝部６１２は、２つ設けられるとしたが、これに限らず、流入路６１に１つ設けられていてもよく、３以上設けられていてもよい。
【０１０７】
上記第２実施形態では、緩衝部６１３は、流入路６１Ａを流通する液体冷媒の流通方向に向かうに従って外径が大きくなる略錐形状に形成されるとした。しかしながら、これに限らず、当該緩衝部６１３は、略柱状であってもよく、略錐台形状であってもよい。
【０１０８】
上記第３実施形態では、熱交換装置７は、１つの流入路７１、１つの第１主流路７２、１つの第２主流路７３及び１つの流出路７４と、流入路７１及び第１主流路７２を接続する複数の第１流路７５と、第１主流路７２及び第２主流路７３を接続する複数の第２流路７６と、第２主流路７３及び流出路７４を接続する複数の第３流路７７と、を有する構成とした。しかしながら、これに限らず、液体冷媒が流通する熱交換装置の流路において、流入路と流出路との間に設けられる主流路は、１つであってもよく、３以上であってもよい。この場合、当該主流路の数に応じて、流入路から主流路を接続する流路、各主流路を接続する流路、並びに、主流路及び流出路を接続する流路が設けられればよい。
【０１０９】
上記第３実施形態では、流入路７１と第２主流路７３とは、それぞれの中心軸が同軸となるように一体化され、第１主流路７２と流出路７４とは、それぞれの中心軸が同軸となるように一体化されるとした。しかしながら、これに限らず、流入路７１と第２主流路７３とは、それぞれ独立して設けられていてもよく、第１主流路７２と流出路７４とは、それぞれ独立して設けられていてもよい。例えば、第１主流路７２が、流入路７１に対して＋Ｘ方向側に位置し、第２主流路７３が、当該第１主流路７２に対して＋Ｘ方向側に位置し、流出路７４が、当該第２主流路７３に対して＋Ｘ方向側に位置していてもよい。すなわち、第１流路７５、第２流路７６及び第３流路７７を流通する液体冷媒の流通方向が、全て＋Ｘ方向であり、熱交換装置全体において液体冷媒が階段状に流通する構成であってもよい。
【０１１０】
上記各実施形態では、流入路６１，６１Ａ，７１と、流出路６２，７４とは、互いに平行に配置されるとした。しかしながら、これに限らず、流入路と流出路とは、平行でなくてもよい。このような構成によれば、流入路への液体冷媒の流通方向と、流出路からの液体冷媒の排出方向とを異ならせることができる。
【０１１１】
上記第１及び第２実施形態では、図４及び図６に示したように、＋Ｙ方向に配列された流路６３の数は１５とされ、上記第３実施形態では、図７に示したように、＋Ｙ方向に配列された第１流路７５、第２流路７６及び第３流路７７の数は、それぞれ５とされた。しかしながら、これに限らず、流路６３、第１流路７５、第２流路７６及び第３流路７７の数は、適宜変更可能である。また、各流路７５〜７７の数は、同一でなくてもよい。
【０１１２】
上記各実施形態では、冷却装置５は、タンク５３１、ポンプ５５、第３熱交換器５３２、光源冷却器５３３、冷却構造５３４及び第２熱交換器５６と、これらを接続する複数の接続部材ＣＮと、を備える第３循環流路５３を有するとした。しかしながら、これに限らず、タンク５３１及び第２熱交換器５６の少なくとも一方は無くてもよく、第３熱交換器５３２及び光源冷却器５３３の一方は、無くてもよい。また、第３循環流路５３に熱交換器として設けられる第３熱交換器５３２は、略密閉された第２密閉筐体５４１内に配置されていなくてもよく、他の冷却対象を冷却する熱交換器であってもよい。同様に、熱交換器として設けられる光源冷却器５３３も、他の冷却対象を冷却する冷却器であってもよい。更に、冷却装置５は、第１循環流路５１、第２循環流路５２及び第４循環流路５４を備えていなくてもよい。
【０１１３】
上記各実施形態では、熱交換装置６，６Ａ，７は、第３冷媒ＲＥ３が当該熱交換装置６，６Ａ，７に対して＋Ｙ方向に向かって流入されるように配置されるとした。しかしながら、これに限らず、第３冷媒ＲＥ３が他の方向に向かって流入されるように、熱交換装置６，６Ａ，７が配置されてもよい。例えば、熱交換装置６，６Ａ，７に対して−Ｙ方向に向かって液体冷媒が流入されるように、熱交換装置６，６Ａ，７が配置されてもよい。
【０１１４】
上記各実施形態では、図３に示したように、第３循環流路５３において、熱交換装置６，６Ａ，７は、接続部材ＣＮを介して光源冷却器５３３と第２熱交換器５６とが接続される箇所に１つ設けられた。しかしながら、これに限らず、熱交換装置６，６Ａ，７は、第３循環流路５３において、他の接続部材ＣＮの配置箇所、例えば、接続部材ＣＮを介して第３熱交換器５３２と光源冷却器５３３とが接続される箇所に設けられていてもよい。また、熱交換装置６，６Ａ，７は、第３循環流路５３において、１つの接続部材ＣＮの配置箇所に複数設けられてもよい。更に、熱交換装置６，６Ａ，７は、第３循環流路５３に加え他の循環流路、例えば、第２循環流路における接続部材ＣＭの配置箇所に設けられてもよい。また、これらの例が適宜組み合わされた構成であってもよく、熱交換装置６，６Ａ，７の少なくとも２つが、冷却装置５に採用されてもよい。
【０１１５】
上記各実施形態では、プロジェクター１は、３つの光変調装置３４２（３４２Ｒ，３４２Ｇ，３４２Ｂ）を備えるとした。しかしながら、本発明はこれに限らない。すなわち、２つ以下、あるいは、４つ以上の光変調装置を用いたプロジェクターにも、本発明を適用可能である。
【０１１６】
上記各実施形態では、光変調装置３４２は、光入射面と光出射面とが異なる透過型の液晶パネルＣＰを有する構成としたが、光入射面と光出射面とが同一となる反射型の液晶パネルを有する構成としてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。この場合、入射側偏光板ＩＰ及び出射側偏光板ＥＰを省略できる。
【０１１７】
上記各実施形態では、熱交換装置６，６Ａ，７を備える冷却装置５を、プロジェクターに適用した例を挙げた。しかしながら、これに限らず、他の冷却対象を冷却する冷却装置に、本発明の熱交換装置を適用してもよく、他の電子機器や自動車等に、本発明の熱交換装置を有する冷却装置を適用してもよい。
【符号の説明】
【０１１８】
１…プロジェクター、３１…光源装置、３４２（３４２Ｂ，３４２Ｇ，３４２Ｒ）…光変調装置、３５…投射光学装置、５…冷却装置、５３１…タンク、５３２…第３熱交換器（熱交換器）、５３３…光源冷却器（熱交換器）、５５…ポンプ、６，６Ａ，７…熱交換装置、６１，６１Ａ，７１…流入路、６１Ｔ，６１ＡＴ，７１Ｔ…終端、６１１，７１１…流入口、６１２…緩衝部（縮径部）、６１３…緩衝部（シャフト）、６２，７４…流出路、６２１，７４１…流出口、７２…第１主流路、７３…第２主流路、７５…第１流路、７６…第２流路、７７…第３流路、ＣＮ…接続部材、ＦＭ…流路形成部材、ＦＭ１…流路形成部、ＦＭ２，ＦＭ３…接続部、ＧＰ…隙間。
【図１】
2019052770.tif 000003
【図２】
2019052770.tif 000004
【図３】
2019052770.tif 000005
【図４】
2019052770.tif 000006
【図５】
2019052770.tif 000007
【図６】
2019052770.tif 000008
【図７】
2019052770.tif 000009
【図８】
2019052770.tif 000010